(57)【要約】    【課題】  発光装置に電気配線を取付ける作業を省き、発光装置の製造に要する労力や時間やコストを削減すること。    【解決手段】  本発明では、線状本体の側面に反射面を形成して前記線状本体の端面から入射した光を前記線状本体の側周面から放射する線状発光体と、この線状発光体の両端部を保持する保持部と前記線状発光体の両端面に向けて光を放射する光源部とを有するホルダーとからなる発光装置において、前記線状発光体は、前記線状本体の側面に沿って伸延する電気配線を前記線状本体に一体的に設けることにした。【選択図】      図１
2006003663.tif 000002
【特許請求の範囲】
【請求項１】
線状本体の端面から入射した光を前記線状本体の側周面から放射する線状発光体において、
前記線状本体の側面に沿って伸延する電気配線を前記線状本体に一体的に設けたことを特徴とする線状発光体。
【請求項２】
前記電気配線は、前記線状本体の側面に形成した反射面の裏側に配置したことを特徴とする請求項１に記載の線状発光体。
【請求項３】
前記電気配線は、前記線状本体の側面に形成した反射面の裏側に一体的に形成した電気配線層の内部に埋設したことを特徴とする請求項１に記載の線状発光体。
【請求項４】
前記電気配線層は、前記電気配線と接続した端子を両端部に形成したことを特徴とする請求項３に記載の線状発光体。
【請求項５】
線状本体の端面から入射した光を前記線状本体の側周面から放射する線状発光体と、この線状発光体の両端部を保持する保持部と前記線状発光体の両端面に向けて光を放射する光源部とを有するホルダーとからなる発光装置において、
前記線状発光体は、前記線状本体の側面に沿って伸延する電気配線を前記線状本体に一体的に設けたことを特徴とする発光装置。
【請求項６】
前記線状発光体の両端部と前記ホルダーの保持部とに傾斜状のガイド面をそれぞれ形成したことを特徴とする請求項５に記載の発光装置。
【請求項７】
前記線状発光体の両端部に前記電気配線を埋設した凸部を形成するとともに、前記ホルダーの保持部に前記凸部と嵌合する凹部を形成したことを特徴とする請求項５に記載の発光装置。
【請求項８】
前記ホルダーの保持部に前記凹部を複数個形成したことを特徴とする請求項７に記載の発光装置。
【請求項９】
前記線状発光体の両端部を断面多角形状に形成するとともに、前記ホルダーの保持部を前記線状発光体の端部と嵌合する断面多角形状に形成したことを特徴とする請求項５に記載の発光装置。
【請求項１０】
前記ホルダーは、アノード端子とカソード端子とを接続した一対の発光ダイオードを前記線状発光体の両端部にそれぞれ配設するとともに、前記発光ダイオードに極性変換可能な電源を接続したことを特徴とする請求項５に記載の発光装置。
【発明の詳細な説明】
【技術分野】
【０００１】
本発明は、線状本体の端面から入射した光を前記線状本体の側周面から放射する線状発光体及びこの線状発光体を有する発光装置に関するものである。
【背景技術】
【０００２】
従来より各種電飾装置に蛍光管やネオン管などの線状発光体が広く利用されてきているが、近年では、線状本体の側面に反射面を形成した線状発光体が次世代の線状発光体として注目されている。
【０００３】
この線状発光体は、透明プラスチック製の線状本体の側面に微細プリズムからなる反射面を形成し、線状本体の端面から入射した光を反射面で乱反射させることによって、線状本体の側周面から光を放射するように構成していた（たとえば、特許文献１参照）。
【０００４】
そして、この線状発光体を用いた発光装置では、線状発光体の両端部を保持し、線状発光体の両端部に光源を配置するとともに、線状発光体の一端部に光源に接続する電源を配置し、さらには、線状発光体の両端部に配置した光源と電源とを接続する電気配線を線状発光体に沿って配置していた。
【特許文献１】特開２０００−３３８３３０号公報
【発明の開示】
【発明が解決しようとする課題】
【０００５】
ところが、上記従来の線状発光体を用いた発光装置では、線状発光体と電気配線とを別個に設け、発光装置のケーシングの内部に電気配線を線状発光体に沿わせて取付けていたため、電気配線をケーシングに取付けるための煩雑な作業が必要となり、発光装置の製造に多大な労力や時間やコストを要していた。
【課題を解決するための手段】
【０００６】
そこで、請求項１に係る本発明では、線状本体の端面から入射した光を前記線状本体の側周面から放射する線状発光体において、前記線状本体の側面に沿って伸延する電気配線を前記線状本体に一体的に設けることにした。
【０００７】
また、請求項２に係る本発明では、前記請求項１に係る本発明において、前記電気配線は、前記線状本体の側面に形成した反射面の裏側に配置することにした。
【０００８】
また、請求項３に係る本発明では、前記請求項１に係る本発明において、前記電気配線は、前記線状本体の側面に形成した反射面の裏側に一体的に形成した電気配線層の内部に埋設することにした。
【０００９】
また、請求項４に係る本発明では、前記請求項３に係る本発明において、前記電気配線層は、前記電気配線と接続した端子を両端部に形成することにした。
【００１０】
また、請求項５に係る本発明では、線状本体の端面から入射した光を前記線状本体の側周面から放射する線状発光体と、この線状発光体の両端部を保持する保持部と前記線状発光体の両端面に向けて光を放射する光源部とを有するホルダーとからなる発光装置において、前記線状発光体は、前記線状本体の側面に沿って伸延する電気配線を前記線状本体に一体的に設けることにした。
【００１１】
また、請求項６に係る本発明では、前記請求項５に係る本発明において、前記線状発光体の両端部と前記ホルダーの保持部とに傾斜状のガイド面をそれぞれ形成することにした。
【００１２】
また、請求項７に係る本発明では、前記請求項５に係る本発明において、前記線状発光体の両端部に前記電気配線を埋設した凸部を形成するとともに、前記ホルダーの保持部に前記凸部と嵌合する凹部を形成することにした。
【００１３】
また、請求項８に係る本発明では、前記請求項７に係る本発明において、前記ホルダーの保持部に前記凹部を複数個形成することにした。
【００１４】
また、請求項９に係る本発明では、前記請求項５に係る本発明において、前記線状発光体の両端部を断面多角形状に形成するとともに、前記ホルダーの保持部を前記線状発光体の端部と嵌合する断面多角形状に形成することにした。
【００１５】
また、請求項１０に係る本発明では、前記請求項５に係る本発明において、前記ホルダーは、アノード端子とカソード端子とを接続した一対の発光ダイオードを前記線状発光体の両端部にそれぞれ配設するとともに、前記発光ダイオードに極性変換可能な電源を接続することにした。
【発明の効果】
【００１６】
そして、本発明では、以下に記載する効果を奏する。
【００１７】
すなわち、請求項１に係る本発明では、線状本体の端面から入射した光を線状本体の側周面から放射する線状発光体において、線状本体の側面に沿って伸延する電気配線を線状本体に一体的に設けているために、線状本体の両端部に配設される光源を線状発光体と一体的に設けた電気配線で容易に接続することができる。
【００１８】
また、請求項２に係る本発明では、電気配線を線状本体の側面に形成した反射面の裏側に配置しているために、線状本体の反射面で反射され線状本体の側周面から放射される光を電気配線で遮ることがなく、線状発光体から光を良好に放射させることができる。
【００１９】
また、請求項３に係る本発明では、線状本体の側面に形成した反射面の裏側に一体的に形成した電気配線層の内部に電気配線を埋設しているために、線状本体の両端部に配設される光源を線状発光体と一体的に設けた電気配線で容易に接続することができるとともに、線状本体の反射面で反射され線状本体の側周面から放射される光を電気配線で遮ることがなく、線状発光体から光を良好に放射させることができる。
【００２０】
また、請求項４に係る本発明では、電気配線と接続した端子を電気配線層の両端部に形成しているために、この端子を用いて線状発光体と光源とを容易に接続することができる。
【００２１】
また、請求項５に係る本発明では、線状本体の端面から入射した光を線状本体の側周面から放射する線状発光体と、この線状発光体の両端部を保持する保持部と線状発光体の両端面に向けて光を放射する光源部とを有するホルダーとからなる発光装置において、線状発光体は、線状本体の側面に沿って伸延する電気配線を線状本体に一体的に設けているために、線状発光体の両端部に配設した光源部を線状発光体と一体的に設けた電気配線で容易に接続することができ、これにより、発光装置に電気配線を取付ける作業を省くことができ、発光装置の製造に要する労力や時間やコストを削減することができる。
【００２２】
また、請求項６に係る本発明では、線状発光体の両端部とホルダーの保持部とに傾斜状のガイド面をそれぞれ形成しているために、ガイド面を案内として用いることによってホルダーの保持部に線状発光体の端部を容易に装着することができる。
【００２３】
また、請求項７に係る本発明では、線状発光体の両端部に電気配線を埋設した凸部を形成するとともに、ホルダーの保持部に凸部と嵌合する凹部を形成しているために、ホルダーに線状発光体を装着した後に線状発光体が回転してしまうのを凹凸嵌合によって阻止することができる。
【００２４】
また、請求項８に係る本発明では、ホルダーの保持部に凹部を複数個形成しているために、線状発光体の反射面の角度を好みに応じて複数段階に変更することができる。
【００２５】
また、請求項９に係る本発明では、線状発光体の両端部を断面多角形状に形成するとともに、ホルダーの保持部を線状発光体の端部と嵌合する断面多角形状に形成しているために、線状発光体の反射面の角度を好みに応じて複数段階に変更することができる。
【００２６】
また、請求項１０に係る本発明では、アノード端子とカソード端子とを接続した一対の発光ダイオードを線状発光体の両端部にそれぞれ配設するとともに、発光ダイオードに極性変換可能な電源を接続しているために、好みに応じて線状発光体から複数種類の光の放射を行わせることができる。
【発明を実施するための最良の形態】
【００２７】
以下に、本発明に係る線状発光体及びこれを用いた発光装置の具体的な構造について図面を参酌しながら説明する。
【００２８】
本発明に係る線状発光体１は、図１及び図２に示すように、棒状の透明プラスチック製の線状本体２の側面に表面研磨加工によって反射面３を形成するとともに、この反射面３の裏側に棒状の透明プラスチック製の電気配線層４を一体的に接着し、この電気配線層４の内部に線状本体２に沿って伸延する２本の貫通孔5,6を形成し、この貫通孔5,6に電気配線7,8をそれぞれ挿通している。
【００２９】
そして、線状発光体１は、線状本体２の端面から光を入射させると、線状本体２の反射面で光が乱反射して、線状本体２の側周面から光を放射するようになっている。
【００３０】
この線状発光体１は、図３に模式的に示すように、発光装置９のホルダー10に装着されて使用される。
【００３１】
この発光装置９は、線状発光体１とホルダー10とで構成されており、ホルダー10には、線状発光体１の両端部を保持する保持部11,12と、線状発光体１の両端面に向けて光を放射する光源部13,14と、光源部13,14にそれぞれ設けた光源15,16（発光ダイオード）に接続した電源17を有している。
【００３２】
そして、発光装置９は、線状発光体１の両端部に配設した光源15,16を線状発光体２と一体的に設けた電気配線7,8で接続している。
【００３３】
具体的には、発光装置９は、光源15,16のアノード端子同士を電気配線７で接続するとともに、光源15,16のカソード端子同士を電気配線８で接続し、光源15,16のアノード端子とカソード端子との間に電源17としての電池を接続している。
【００３４】
このように、上記構成の線状発光体１は、線状本体２の側面に沿って伸延する電気配線7,8を線状本体２に一体的に設けているために、線状本体２の両端部に配設した光源15,16を線状発光体２と一体的に設けた電気配線7,8で容易に接続することができる。これにより、発光装置９では、配線を取付ける作業を省くことができ、発光装置９の製造に要する労力や時間やコストを削減することができる。
【００３５】
また、上記構成の線状発光体１は、電気配線7,8を線状本体２の反射面３の裏側に配置しているために、線状本体２の反射面３で反射され線状本体２の側周面から放射される光を電気配線7,8で遮ることがなく、線状発光体１から光を良好に放射させることができる。
【００３６】
また、上記構成の線状発光体１は、線状本体２の反射面３の裏側に一体的に形成した電気配線層４の内部に電気配線7,8を埋設しているために、線状本体２の両端部に配設した光源15,16を線状発光体１と一体的に設けた電気配線7,8で容易に接続することができるとともに、線状本体２の反射面３で反射され線状本体２の側周面から放射される光を電気配線7,8で遮ることがなく、線状発光体１から光を良好に放射させることができる。
【００３７】
また、上記構成の発光装置９では、線状発光体１を着脱することができないが、図４に示すように、線状発光体１の電気配線層４の両端部に電気配線7,8と接続した端子18,19を取付ける一方、この端子18,19に着脱自在に接続されるソケット20,21をホルダー10の保持部11,12に取付けると、この端子18,19を用いて線状発光体１と光源15,16とを容易に接続することができ、発光装置９のホルダー10から線状発光体１を容易に着脱することができる。
【００３８】
特に、図５に示すように、線状発光体１の両端部とホルダー10の保持部11,12とに傾斜状のガイド面22,23（円錐面）をそれぞれ形成すると、これらのガイド面22,23を案内として用いることによってホルダー10の保持部11,12に線状発光体１の端部を容易に装着することができる。
【００３９】
しかも、線状発光体１の端部とホルダー10の保持部11,12とに傾斜状のガイド面22,23をそれぞれ形成しているために、ホルダー10の保持部11,12に線状発光体１の端部を圧入することができ、この場合には、ホルダー10に線状発光体１を装着した後に線状発光体１が回転するのを防止することができる。
【００４０】
また、図６(a)に示すように、線状発光体１の両端部に電気配線7,8を埋設した凸部24（凸状に形成した電気配線層４）を形成し、一方、図６(b)に示すように、ホルダー10の保持部11,12に線状発光体１の凸部24と嵌合する凹部25を形成すると、ホルダー10に線状発光体１を装着した後に線状発光体１が回転してしまうのを凹凸嵌合によって阻止することができる。なお、凸部24には電気配線7,8に接続した端子18,19を取付け、凹部25には端子18,19に接続されるソケット20,21を取付けている。
【００４１】
また、図７(a)に示すように、線状発光体１の両端部に電気配線7,8を埋設した凸部24（凸状に形成した電気配線層４）を形成し、一方、図７(b)に示すように、ホルダー10の保持部11,12に複数個の凹部26,27,28を形成すると、線状発光体１の反射面３の角度を好みに応じて複数段階に変更することができる。
【００４２】
また、図８(a)に示すように、線状発光体１の両端部を断面多角形状（ここでは、正八角形）に形成するとともに、電気配線7,8を埋設した凸部24（凸状に形成した電気配線層４）を形成し、一方、図８(b)に示すように、ホルダー10の保持部11,12を線状発光体１の端部と嵌合する断面多角形状（ここでは、正八角形）に形成するとともに、複数個の凹部29,30,31を形成すると、線状発光体１の反射面３の角度を好みに応じて複数段階に変更することができる。
【００４３】
さらに、図９に模式的に示すように、アノード端子とカソード端子とを接続した一対の発光ダイオード32,33,34,35を線状発光体１の両端部にそれぞれ配設するとともに、発光ダイオード32,33,34,35に極性変換可能な電源36を接続すると、好みに応じて線状発光体１から複数種類の光の放射を行わせることができる。
【００４４】
すなわち、図９では、電源36の一方の端子37に発光ダイオード32のカソード端子と発光ダイオード33のアノード端子とを接続し、電源36の他方の端子38に発光ダイオード34のカソード端子と発光ダイオード35のアノード端子とを電気配線８を介して接続し、さらには、発光ダイオード32のアノード端子及び発光ダイオード33のカソード端子と発光ダイオード34のアノード端子及び発光ダイオード35のカソード端子とを電気配線７を介して接続している。
【００４５】
そして、電源36の一方の端子37を正極とするとともに他方の端子38を負極とした場合には、２個の発光ダイオード33,34だけが点灯し、これらの発光ダイオード33,34から放射された光が線状発光体１から放射される。
【００４６】
また、電源36の一方の端子37を負極とするとともに他方の端子38を正極とした場合には、２個の発光ダイオード32,35だけが点灯し、これらの発光ダイオード32,35から放射された光が線状発光体１から放射される。
【００４７】
しかも、電源36の端子37,38の極性を高周波数で変換させた場合には、２個の発光ダイオード33,34と２個の発光ダイオード32,35とが高速で交互に点灯し、見かけ上は全ての発光ダイオード32,33,34,35から放射された光が線状発光体１から放射される。
【００４８】
また、図10〜図12に示すように、線状発光体39の全側周面から発光し、線状発光体39の両端で電線40,41と接続するようにしてもよい。
【００４９】
すなわち、図11に示すように、線状発光体39における線状本体42は、左右一対の端部43,44の間に透明中空円筒状の管部45を取付け、この管部45の内側端部に光源となる発光ダイオード46,47,48,49を実装した基板50,51を配置するとともに、管部45の内部に拡散材料としての微小ガラスビーズ52を充填し、さらには、管部45の内部で一対の電気配線53,54を用いて左右の基板50,51を接続しており、端部43,44の中央に形成した貫通孔55,56に基板50,51に接続した電極端子57,58を挿通している。
【００５０】
そして、線状発光体39では、端部43,44に形成した切欠59,60に電線40,41を挿通するとともに、端部43,44の貫通孔55,56に取付ネジ61,62を螺着することによって、電線40、41と電極端子57,58とを接続している。
【００５１】
この線状発光体39も、図12に示すように、アノード端子とカソード端子とを接続した一対の発光ダイオード46,47,48,49を線状発光体39の両端部にそれぞれ配設するとともに、電線40,41に極性変換可能な電源を接続することによって、好みに応じて線状発光体39から複数種類の光の放射を行わせることができる。
【図面の簡単な説明】
【００５２】
【図１】本発明に係る線状発光体を示す斜視図。
【図２】同断面図。
【図３】本発明に係る発光装置を示す模式図。
【図４】他の発光装置を示す側面図。
【図５】他の発光装置を示す側面図。
【図６】他の発光装置を示す側面図。
【図７】他の発光装置を示す側面図。
【図８】他の発光装置を示す側面図。
【図９】他の発光装置を示す模式図。
【図１０】他の発光装置を示す斜視図。
【図１１】他の発光装置を示す断面図。
【図１２】他の発光装置を示す模式図。
【符号の説明】
【００５３】
１  線状発光体
２  線状本体
３  反射面
４  電気配線層
5,6  貫通孔
7,8  電気配線
９  発光装置
10  ホルダー
11,12  保持部
13,14  光源部
15,16  光源
17  電源
18,19  端子
20,21  ソケット
22,23  ガイド面
24  凸部
25,26,27,28,29,30,31  凹部
32,33,34,35  発光ダイオード
36  電源
37,38  端子
39  線状発光体
40,41  電線
42  線状本体
43,44  端部
45  管部
46,47,48,49  発光ダイオード
50,51  基板
52  微小ガラスビーズ
53,54  電気配線
55,56  貫通孔
57,58  電極端子
59,60  切欠
61,62  取付ネジ
【図１】
2006003663.tif 000003
【図２】
2006003663.tif 000004
【図３】
2006003663.tif 000005
【図４】
2006003663.tif 000006
【図５】
2006003663.tif 000007
【図６】
2006003663.tif 000008
【図７】
2006003663.tif 000009
【図８】
2006003663.tif 000010
【図９】
2006003663.tif 000011
【図１０】
2006003663.tif 000012
【図１１】
2006003663.tif 000013
【図１２】
2006003663.tif 000014